(57)【特許請求の範囲】
【請求項１】
大気開放された定湯面炉内に、上部が天蓋で密閉され下部に開閉自在に形成された溶湯取入れ口と給湯管を接続する溶湯吐出口が形成された給湯ポットを設置し、該給湯ポットの内部を加圧することにより上記溶湯吐出口から給湯管を通して鋳造機へ溶湯を供給するようにした金属溶湯用給湯装置において、
前記溶湯取入れ口を前記給湯ポットの底部に形成せしめ、前記溶湯を濾過するためのフィルターを前記溶湯取入れ口の内径より大きな内径を有する略筒形状に形成し、前記フィルターを前記給湯ポットの内底部上に前記溶湯取入れ口を取り囲むように起立状に設置してなることを特徴とする金属溶湯用給湯装置。
【請求項２】
前記フィルターを定湯面基準面より下位置に設置せしめたことを特徴とする請求項１記載の金属溶湯用給湯装置。
【発明の詳細な説明】
【０００１】
【発明の属する技術分野】
本発明は、金属溶湯（以下、単に溶湯と称する。）を鋳造機へ供給するための給湯装置に関し、特に、溶湯を鋳造機へ１鋳造サイクル毎に定量宛て供給するようにした溶湯用給湯装置に関するものである。
本発明に係る溶湯用給湯装置が好適に適用される鋳造機としては、金型キャビティ内に溶湯を低速低圧で充満させた後に当該キャビティ内の溶湯を加圧子でもって低速且つ高圧で加圧して鋳造するようにした低速高圧鋳造機がある（特開平８−１３２２１２号公報等参照）。
【０００２】
【従来の技術】
溶湯を鋳造機（の金型キャビティ内）に供給する場合、溶湯中に酸化物等の不純物が混入すると鋳造された製品に欠陥を生じるので、溶湯を鋳造機（の金型キャビティ内）に供給する前にその溶湯中に混入している酸化物等の不純物をできるだけ除去することが要求される。
そこで従来では、炉における溶湯の入口や出口部分に酸化物等の不純物を除去するためのフィルター等を設置していたが、フィルターの設置自体が面倒であったり、設置したフィルターが早期に目詰まりしてしまう等の不具合があった。
【０００３】
【発明が解決しようとする課題】
本発明はこの様な従来の不具合に鑑みてなされたものであり、鋳造機側へ酸化物等の不純物が混入していない清浄な溶湯を供給することができると同時に、溶湯を濾過するためのフィルターの設置が簡便であり、且つ設置したフィルターを長期にわたって使用することが可能な金属溶湯用給湯装置を提供せんとするものである。
【０００４】
【課題を解決するための手段】
斯る目的を達成する本発明の金属溶湯用給湯装置は、大気開放された定湯面炉内に、上部が天蓋で密閉され下部に開閉自在に形成された溶湯取入れ口と給湯管を接続する溶湯吐出口が形成された給湯ポットを設置し、該給湯ポットの内部を加圧することにより上記溶湯吐出口から給湯管を通して鋳造機へ溶湯を供給するようにした金属溶湯用給湯装置において、前記溶湯取入れ口を給湯ポットの底部に形成せしめ、溶湯を濾過するフィルターを前記溶湯取入れ口の内径より大きな内径を有する略筒形状に形成し、前記フィルターを前記給湯ポットの内底部上に前記溶湯取入れ口を取り囲むように起立状に設置してなることを特徴としたものである（請求項１）。
更には、前記フィルターを定湯面基準面より下位置に設置せしめることが好ましい（請求項２）。
【０００５】
【発明の実施の態様】
以下、本発明の具体的な好適実施例を図面に基づいて説明するが、本発明は図示実施例のものに限定されるものではない。
図中の符号Ａは保持炉、Ｂは定湯面炉、Ｃは給湯ポット、を示し、保持炉Ａと定湯面炉Ｂが並列状に連続一体的に構築され、給湯ポットＣはその下部が定湯面炉Ｂの溶湯中に没入するように設置される。
【０００６】
保持炉Ａは、定湯面炉Ｂへ供給するための溶湯Ｍを大量に貯えて置くためのものであり、定湯面炉Ｂと比較して十分に大きな容積を有し大気開放に構成され、定湯面炉Ｂとは炉低部に開口せしめた連通口１を介して連通され、連通口１は溶湯開閉弁２により開閉自在に形成されている。
この際、保持炉Ａの底面Ａ’ を定湯面炉Ｂの定湯面Ｌ１と同じかそれより高く設定すると共に、上記連通口１の高さ位置を定湯面炉Ｂの定湯面Ｌ１より下に設定する。
【０００７】
定湯面炉Ｂは、鋳造機（図示せず）へ供給する溶湯Ｍ’を所要一定量保持するためのものであり、その上部を炉蓋３で覆い大気開放に構成すると共に、当該定湯面炉Ｂの定湯面Ｌ１を検知するための湯面検知センサー４を備えてなり、炉内の溶湯Ｍ’中に給湯ポットＣの下部が没入するように設置される。
【０００８】
給湯ポットＣは、溶湯Ｍ”を鋳造機側へ１鋳造サイクル毎に定量宛供給するためのものであり、ポット本体５とその上部を密閉する天蓋６と、ポット本体５の底部に形成された溶湯取入れ口７を開閉するための開閉弁８と、溶湯取入れ口７を通してポット内に入ってくる溶湯Ｍ’を濾過するためのフィルター９等で構成され、ポット本体５の下部部分が定湯面炉Ｂ内の溶湯Ｍ’中に没入するように配設される。
【０００９】
即ち、ポット本体５の上部は天蓋６で開閉可能に密閉され、ポット本体５の底部中央部分には定湯面炉Ｂ内の溶湯Ｍ’をポット本体５の内部に取り入れるための溶湯取入れ口７が開口形成される。そして溶湯取入れ口７は、ポット本体５の長手方向に沿って上下動自在に設けられた開閉弁８で開閉自在とされ、溶湯取入れ口７の前または後には溶湯Ｍ’を濾過するためのフィルター９が設置される。
また、ポット本体５の下部側壁部分には、ポット本体５の内部に取入れた溶湯Ｍ”を鋳造機側へ送り出すための溶湯吐出口１０が開口形成される。溶湯吐出口１０は定湯面基準面Ｌ２より下の位置に形成せしめ、その溶湯吐出口１０に鋳造機側と連通接続された給湯管Ｄが連通接続される。
【００１０】
而して、開閉弁８を開けて定湯面炉Ｂ内の溶湯Ｍ’を溶湯取入れ口７から給湯ポットＣ（ポット本体５）内に所定量（定湯面Ｌ１まで）取り入れた後、開閉弁８を閉めて溶湯取入れ口７を閉塞し、その状態で給湯ポットＣ（ポット本体５）の内部にガス供給管１１からエアーや不活性ガスを供給して給湯ポットＣ（ポット本体５）の内部を加圧すると、給湯ポットＣ（ポット本体５）内の溶湯Ｍ”が溶湯吐出口１０から給湯管Ｄを通して鋳造機へ定量宛て給湯される。すると、給湯ポットＣ（ポット本体５）内の溶湯Ｍ”の湯面レベルが設定された定湯面基準面Ｌ２まで下がる。
そして、鋳造機への給湯を完了した後、給湯ポットＣ（ポット本体５）の内部を大気圧状態に戻し、開閉弁８を開けて給湯ポットＣ（ポット本体５）の溶湯取入れ口７を開口すると、定湯面炉Ｂ内の溶湯Ｍ’が溶湯取入れ口７から給湯ポットＣ（ポット本体５）内にフィルター９を通って流入し、給湯前の湯面レベル、すなわち定湯面炉Ｂ内の溶湯Ｍ’の定湯面レベル（定湯面Ｌ１）まで取り入れられる。以下、同様にして、給湯ポットＣ（ポット本体５）内の溶湯Ｍ”が鋳造機へ１鋳造サイクル毎に定量宛て供給される。
【００１１】
フィルター９は、溶湯取入れ口７を通してポット内に入ってくる溶湯Ｍ’を濾過するためのものであり、溶湯取入れ口７の前後両方または前と後ろのどちらか一方に設置する。具体的には、多孔質セラミックス材やグラスウール等からなる材料を用いて、フィルター９を略平板形状ないしシート状に形成して溶湯取入れ口７の前（ポット本体５の外側）または後ろ（ポット本体５の内側）に設置したり、或いは図示実施例のごとく、フィルター９を溶湯取入れ口７の内径より大きな内径を有する略筒形状、好ましくは略円筒形状に形成して、そのフィルター９で溶湯取入れ口７を取り囲むように、すなわち略筒形状に形成されたフィルター９の軸線が溶湯取入れ口７のセンターと合うようにフィルター９を配置して、ポット本体５の内底面上に起立状に設置するものである。
【００１２】
フィルター９を略筒形状に形成してポット本体５の内底面上に起立状に設置する場合、溶湯取入れ口７から当該フィルター９を通過してポット本体５内部に入った溶湯Ｍ”が定湯面炉Ｂ内の溶湯Ｍ’と交わらないように、フィルター９の長さを定湯面Ｌ１より高くなるように形成するか、または図示実施例のように溶湯を通さない材料で略筒形状に形成されたフィルター押さえ１２でフィルター９をポット本体５の内底面上に押し付けるようにして設置する。尚、図中の符号１３は断熱材である。この場合、フィルター９を定湯面基準面Ｌ２より少し下の位置に設置せしめることが好ましい。
【００１３】
【発明の効果】
請求項１記載の発明に係る金属溶湯用給湯装置によれば、前記溶湯取入れ口を給湯ポットの底部に形成せしめ、溶湯を濾過するためのフィルターを前記溶湯取入れ口の内径より大きな内径を有する略筒形状に形成し、前記フィルターを前記給湯ポットの内底部上に前記溶湯取入れ口を取り囲むように起立状に設置してなるので、鋳造機側に酸化物等の不純物が混入していない清浄な溶湯を供給することが出来ると共に、給湯ポット内にあって溶湯を濾過するためのフィルターを設置するための場所を取らないと同時に、フィルターの設置が簡便であり、且つ設置したフィルターを長期にわたって使用することが可能となる。
【００１５】
更に、請求項２記載の発明に係る金属溶湯用給湯装置によれば、前記フィルターを定湯面基準面より下位置に設置せしめたので、給湯ポット内の溶湯を鋳造機側に定量宛て給湯して給湯ポット（ポット本体）内の湯面が低下しても、フィルターが大気に触れるようなことがなく、従って設置したフィルターを長期にわたって使用することが可能となる。
【図面の簡単な説明】
【図１】    本発明実施の一例を示す模式断面図。
【図２】    給湯ポットの模式断面図。
【符号の説明】
Ａ：保持炉                        Ｂ：定湯面炉
Ｃ：給湯ポット                    Ｄ：給湯管
１：連通口                        ２：溶湯開閉弁
３：炉蓋                          ４：湯面検知センサー
５：ポット本体                    ６：天蓋
７：溶湯取入れ口                  ８：開閉弁
９：フィルター                  １０：溶湯吐出口
１１：ガス供給管                  １２：フィルター押さえ
１３：断熱材
Ｌ１：定湯面                      Ｌ２：定湯面基準面
Ｍ，Ｍ’，Ｍ”：溶湯
【図１】
0004678978.tif 000002
【図２】
0004678978.tif 000003